(57)【要約】      （修正有）【課題】基地系集団（ブロック）を構成する基地系は多数個を必要とするが量産製造する工程を提供するにはどのような工程が必要であるかはまだ明らかにされていなかった。しかし、品質面、経済面で必要不可欠とされていた。【解決手段】製造装置は、基地系を構成する基地板を自動的に量産製造する制板工程を制御する基地板計算機と、付属体を基地板に組立てる組立工程を制御する組立計算機と、付属体を地球上で量産製造する付属工程を制御する付属計算機と、これらの各計算機をネットワークで接続される大型電子計算機と、によって構成される。これによって、基地系の自動的な量産工程が可能となり、品質の安定と経済的な供給が可能となる。【選択図】図４
2008290690.tif 000002
【特許請求の範囲】
【請求項１】
防護開発装置の基地系を構成する基地板を自動的に量産製造する製板工程を制御する基地板計算機と、
護基地板に搭載される付属体（推進体・連携体・研摩体等）を組立装置に於て組立てる組立工程を制御する組立計算機と、
該付属体を地球上で自動的に量産製造・運搬する付属工程を制御する付属計算機と、
該基地板計算機・組立計算機・付属計算機、等とネットワークが構成され、全体の自動製造工程を調整し制御する大型電子計算機と、
を具備した製造装置を有する防護開発装置。
【請求項２】
前記基地系の基地板を自動的に伸展する基地板の伸展工程を支承すべく配備される伸展台の製造を制御する伸展台計算機
該基地板に前記付属体を自動的に組立る組立台を製造する工程を制御する組立台計算機と、
該組立台に該付属体を自動的に組立るよう付属体収容筒を運搬し結合する工程を制御する筒結合計算機と、
該支展台計算機・組立台計算機・筒結合計算機、等とネットワークが構成され全体の（半）自動的な防護開発装置の製造を調整し制御する大型電子計算機と、
を具備した製造装置を有する防護開発装置。
【請求項３】
前記付属体の一種である推進体（新ロケット）の主要部が一般使用の新ロケットのものと標準化して構成され、最大限に部品を共通化して自動的に量産製造される推進体の量産製造を制御する主要部計算機と、
該主要部を組立するための組立部が自動的に量産製造され該主要部と結合される工程が自動化され量産製造を制御する組立部計算機と、
該主要部計算機・組立部計算機、等とネットワークが構成され、全体の自動製造工程を調整し制御する大型電子計算機と、
を具備した製造装置を有する防護開発装置。
【請求項４】
基地系集団（ブロック）の使用・活用状態を把握し、以後の計画を策定し、該基地系（ブロック）を構成する基地系の数量等を管理する需要計算機と、
前記製造装置等と連携され、供給される基地系の数量等を計画的に管理する供給計算機と、
該基地系を構成する基地板や付属体の資材の供給を管理する資材供給計算機と、
該基地系の需要と供給とを把握し総合的に調整する大型電子計算機と、
を具備した製造装置を有する防護開発装置。
【請求項５】
太陽光が凝集して照射されるべく構成された太陽光凝集体を制御する凝集計算機と、
老旧化された基地板や付属体（推進体・連携体・研摩体）にその凝集された太陽光が照射され、融解された資材を収集する収集体を制御する収集計算機と、
該収集体で収集された資材を運搬して前記基地板の製造装置や地球上の付属体の製造装置の資材供給工程に回収する回収体を制御する回収計算機と、
該凝集計算機・収集計算機・回収計算機、等とネットワークが構成され、全体の調整・制御が成される大型電子計算機と、
を具備した製造装置を有する防護開発装置。
【請求項６】
基地板の適所に搭載される正規の付属体（推進体・連携体等）と、
該正規の付属体が万一故障した場合に即座にその機能が移譲されて、該正規の付属体が交換された後はその機能が復原移譲されるべく隣設される副の付属体と、
を具備した防護開発装置。
【請求項７】
基地板を自動的に量産製造する製板量産段階と、
基地板に付属体が組立られる組立量産段階と、
付属体を自動的に量産製造される付属量産段階と、
それらの各段階がネットワークで調整される調整段階と、
を具備した防護開発装置の製造装置の製造方法。
【発明の詳細な説明】
【技術分野】  本発明は防護開発装置の製造装置とその使用方法に関し、より詳しくは近未来以降に於ける環境の防護や開発に際し重要になる基地系集団を構成する基地系の一貫量産体制を築く基礎を提供し、円滑な量産によって品質の安定と向上と経済性の追求を図り、かつ資源の有効活用を図らんとするものである。
【背景技術】  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物理的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）、図（ｂ）に示すように、２０世紀における世界人口・国民総生産・エネルギー消費量の爆発的な増大に伴って、図（Ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然し、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。
本発明の第１の目的は基地系の量産体制を築き品質の安定と向上を図ることである。
本発明の第２の目的は基地系の経済性の追求を図り必要個数提供することである。
本発明の第３の目的は基地系の資源の有効活用を図り地球高温化時代に備えることである。
本発明の第４の目的は基地系の需要と供給の体制を調整し合理化を図ることである。
【発明の実施の最良の形態】
以下、本発明の実施の最良の形態を実施例・図面を参考にして説明する。
（１）  基地板を量産製造する製板工程と、付属体を組立てる組立工程と、付属体を量産・運搬する付属工程の各計算機と大型電子計算機がネットワークで連携されるので、基地系の構成分子が組立台に隣接して自動的に供給される。このため製造装置（特願２００３−４３７０２８号）の量産体制に、地球上で量産された付属体が供給され基地系が円滑に量産される。
2008290690.tif 000003
産製造する各工程の基礎が構成される。初期でも円滑に建設される。
（３）  付属体のメインである推進体は地球上で量産され運搬されて基地板に組立てられ、基地系の量産体制が構成される。推進体の主要部は他の一般使用の新ロケットと部品共通化され、品質の安定と経済性が現在の自動車並になりうる。また、新ロケットは自動車並に量産が可能に技術が成熟された段階で本件の防護装置は実用化されるべきであり、慎重の上にも慎重な対応が求められる。
（４）  基地系集団を構成する基地系は需要計算機で管理され、製造装置による基地系の計画的な管理と各資材の供給の管理とが大型電子計算機とネットワークに構成される。大型電子計算機では需要と供給とが将来を見通して的確に調整される。
（５）  基地系集団の使用による基地系の老旧化に対しては、太陽光凝集体による凝集された太陽光（熱）によって融解され、その資材が収集され回収されて再生使用される。各々を制御する計算機は大型電子計算機とのネットワークが構成されて的確に運営される。
（６）  付属体は正規の付属体に隣接して副の付属体が搭載されるので、万一故障の場合にはその機能は即座に移譲される。故障の付属体は（半）自動的に正常なものと取替えられる。付属体は多数個必要であるが量産されるのでこれに対応しうる。トラブルの激減が優先される。
【発明の効果】
（１・７）  基地板の自動的な製板工程と、基地板には付属体を組立てる組立工程と付属体の量産工程と、を各々制御する計算機が大型電子計算機とネットワークで構成されることで基地系の量産体制が確立される。従って、基地系は順調に自動的に製造されるので経済的に構成しうる。これによって、基地系集団を構成しうるので特許権（特許第２９０６１６５号）に掲載した諸効果を達成しうると推定される。
（２）  防護開発装置の製造装置が順調に、経済的に提供され量産製造の基礎が構成される。最初は手がかりの乏しい宇宙空間で（半）自動的に建設される。
（３）  推進体の主要部が、一般使用の新ロケットのものと標準化されれば部品を大幅に共通化できるから、経済的であると共に品質を高く維持できる。これによって近未来以降のロケット時代に於いて現在の自動車並みに高品質で大量に供給しうるから基地系集団を構成でき上記の特許権の諸効果を達成しうると推定される。大量生産されるから一般使用の新ロケットにも良い効果がある。
（４）  基地系集団（ブロック）を構成する基地系の需要と供給とがネットワークで調整されることは、需要と供給との関係が調整されるので使用と製造とが円滑に進められ大局的に望ましい諸効果を生むと推定される。
（５）  長年月の使用には構成部材の老旧化が予測されるがそれらを構成する資材が収集体や回収体によって収集・回収されるので、資源の有効活用が図られ、かつ総合的に円滑な運用が図られる効果がある。特に基地系集団の多数個の配備を必要とする地球高温化（第２金星化）を回避する中未来以降に於ては極めて有効的であると推定され、必要不可欠と推定される。しかも、この資源の有効活用が宇宙空間に於ける太陽光（熱）の有効活用によって融解されて再資源化されるので効果が著るしい。
（６）  基地系は基地板の適所に搭載される正規の付属体が故障した場合にのみそれに隣接して搭載された副の付属体に機能が移譲されるので、故障した場合でも円滑な運営が可能となり、トラブルは激減される。
【図面の簡単な説明】
【図１】１９・２０世紀の環境・資源等の深刻な課題と２１世紀の予測を示す図、
【図２】代表的な地球規模の課題の過去の経過と未来の予測を示す図、
【図３】本発明防護開発装置の電子計算機（制御装置）のネットワークを示す図、
【図４】本発明防護開発装置の製造装置の一実施例を示す模式図、
【図５】本発明防護開発装置の製造装置の他の実施例を示す模式図、
【図６】本発明防護開発装置の製造装置の他の実施例を示す模式図、
【図７】同上の製造装置で製造された基地板の一実施例を示す図、
【図８】同上の基地板に推進体を装備した基地系の一実施例を示す図、
【図９】同上の基地系の集合である基地系ブロックの一実施例を示す図
【図１０】同上の基地系ブロックの集合である基地系集団の一実施例を示す図である。
【符号の説明】
【図１】
2008290690.tif 000004
【図２】
2008290690.tif 000005
【図３】
2008290690.tif 000006
【図４】
2008290690.tif 000007
【図５】
2008290690.tif 000008
【図６】
2008290690.tif 000009
【図７】
2008290690.tif 000010
【図８】
2008290690.tif 000011
【図９】
2008290690.tif 000012
【図１０】
2008290690.tif 000013